(57)【要約】【課題】  液晶表示装置の表示面の全体にわたって均一に照射することができ、かつ、額縁部が狭い直下型のバッライトとして用いたり、また、薄型化を可能にしたサイドライト型のバックライトとして用いることのできる照明装置を提供すること。【解決手段】  均一な面光源を形成する照明装置の光源に、ブリッジ管４を介して連通された複数本の平行の各直管部１ａ、１ｂを具備した放電ランプ１、１１を用いる。【選択図】  図４
2006073306.tif 000002
【特許請求の範囲】
【請求項１】
ガラス管の内部に希ガスと水銀とが封入されて内壁面に蛍光体層が長軸方向に関して相互に反対方向にコーティングされ、対向して配置されている第１および第２の直管部で、この各直管部の一端側には電極が配設され、かつ、封止された他端側の近傍がブリッジ管で相互に気密に連通されて一体に形成されている放電ランプと、
前記放電ランプに電圧を印加する昇圧点灯回路とを具えた照明光源を有することを特徴とする照明装置。
【請求項２】
ガラス管の内部に希ガスと水銀とが封入されて内壁面に蛍光体層が長軸方向に関して相互に反対方向にコーティングされ、対向して配置されている第１および第２の直管部で、この各直管部の一端側には電極が配設され、かつ、封止された他端側の近傍がブリッジ管で相互に気密に連通されて一体に形成されている放電ランプと、
前記放電ランプに電圧を印加する昇圧点灯回路と、
前記放電ランプとの対向面の一方に反射面を他方に開口部を具え、かつ、前記放電ランプを固定保持する反射型ケーシングと、
前記反射型ケーシングの前記開口部に装着された拡散透過板とを有することを特徴とする直下型バックライト用の照明装置。
【請求項３】
前記放電ランプは、前記拡散透過板と対向して複数本が平面状に配列されて前記反射型ケーシングに固定保持されていることを特徴とする請求項２記載の直下型バックライト用の照明装置。
【請求項４】
ガラス管の内部に希ガスと水銀とが封入されて内壁面に蛍光体層が長軸方向に関して相互に反対方向にコーティングされ、対向して配置されている第１および第２の直管部で、この各直管部の一端側には電極が配設され、かつ、封止された他端側の近傍がブリッジ管で相互に気密に連通されて一体に形成されている放電ランプと、
前記放電ランプに電圧を印加する昇圧点灯回路と、
前記放電ランプの長軸方向に平行に反射面が形成され、一方が開口したリフレクタと、
前記リフレクタの前記開口に端部が装着された透光性の導光板とを有することを特徴とするサイドライト型バックライト用の照明装置。
【請求項５】
前記直管部を連通している前記ブリッジ管の外径は、前記直管部の外径よりも小さいことを特徴とする請求項２乃至請求項４のいずれか１項に記載の照明装置。
【請求項６】
前記ブリッジ管を介して連通された複数本の平行な前記直管部を具備した前記放電ランプは、単一の昇圧点灯回路に接続されていることを特徴とする請求項２乃至請求項５のいずれか１項に記載の照明装置。
【請求項７】
前記放電ランプの前記ブリッジ管を介して連通された前記直管部は、該直管部の外径が６ｍｍ以下であることを特徴とする請求項２乃至請求項６のいずれか１項に記載の照明装置。
【請求項８】
前記放電ランプの前記ブリッジ管は前記拡散透過板の外側になるように配置していることを特徴とする請求項２または請求項３に記載の照明装置。
【請求項９】
前記放電ランプの前記直管部は、前記導光板への入射面に対して小径の前記直管部が該導光板に近くなるように傾斜して配置されて配置されていることを特徴とする請求項４記載の照明装置。
【発明の詳細な説明】
【技術分野】
【０００１】
本発明は、液晶テレビなどのバックライトや、カーナビゲーションシステムの映像表示用などに好適な照明装置に関する。
【背景技術】
【０００２】
液晶テレビや液晶メータなどのバックライト用の照明装置は、通常、冷陰極放電ランプを光源とし、小型液晶テレビや液晶メータなどの液晶パネルの背面から平面的にほぼ均一な光を当てて、液晶面を表示するため多用されている。また、自動車の運転者に交通情報を提供するカーナビゲーションシステムにおいても、自動車の現在位置や進行方向を表示するテレビモニターなどの液晶表示装置のバックライトに、冷陰極放電ランプが使用されていることが多い。
【０００３】
図１０は、従来のバックライト用の照明装置の一例で、直下型の場合の基本的な構成を分解して斜視的に示した斜視図である。図１０において、反射面が形成された反射形ケーシング２１は前面が開口可能に形成された浅い皿形状で、内部に複数本の冷陰極低圧放電ランプ２２が、給電端子側をゴムなどの弾性体から成るランプホルダ２４に保持されて電気的に接続され、平面的に配置されている。また、反射形ケーシング２１の反射面を形成した開口部には、着脱自在に合成樹脂系の拡散透過板２５が装着されている。
【０００４】
冷陰極低圧放電ランプ２２は、例えば、複数本のＵ字形の冷陰極放電ランプ２２、２２を接続用端子部２３で直列に接続し、両端を給電端子として形成されている。
【０００５】
反射形反射形ケーシング２１は、たとえばポリカーボネート樹脂，もしくはポリカーボネート樹脂混合系の耐候性樹脂などで形成されている。また、反射形ケーシング２１の底壁面２１ａは、一定の方向に凹凸面化（ストライブ状な突起２１ｂが形設）しており、この凹凸面が反射面として機能する一方、冷陰極低圧放電ランプ２２を、その屈曲部２２ａなど係止片２１ｃで係止して反射形ケーシング２１の内部に平面的に配置・装着する。また、冷陰極低圧放電ランプ２２は、反射形ケーシング２１の側壁部２１ｄに一体的に設置されている一対の支持部材２６の支持溝２６ａによって、ランプホルダ２４が挟着的に支持され、反射形ケーシング２１の内部に固定・装着されている。
【０００６】
これらの構成で、ランプホルダ２４を介して支持部材２６の支持溝２６ａに冷陰極低圧放電ランプ２２の両端部を嵌着支持させるのは、点灯時に生じる熱膨脹に伴う微小なバルブの変形、および使用時の衝撃や振動による外力などをゴム系弾性材のホルダ２３で吸収させ、冷陰極低圧放電ランプ２２の破損を防止する一方、電気的絶縁も付与させている。（例えば特許文献１を参照）
また、従来のバックライト用照明装置で、サイドライト型の場合についての一例を図１１に断面図で示すと、面状の光源装置（照明装置）は、透明性材料からなる導光板３３と、この導光板３３の側面端部である入光面に近接して配設された棒状（直管）の光源（放電ランプ）３１と、この棒状の光源３１の導光板３３と相対する面以外の部分を覆う筒状の反射部材３２と、導光板３３の下面に相対する位置に近接して配設された平面状の反射部材３４と、導光板３３、光源３１および両反射部材３２、３４を収納する保持部材３５とから構成されている。この面状の光源装置の上に液晶表示素子３７を載置することにより、液晶表示装置を得ることができる。（例えば特許文献２を参照）
図１１で示した場合は、光源として２本の直管型の放電ランプ３１、３１を用いているが、Ｕ字管の放電光ランプを用いた場合について模式的に示すと、図１２に示したような関係の配置、すなわち、厚さｔ１の導光板３３の入射面３３ａに、Ｕ字管の放電ランプ２２の直管部２２ｃ、２２ｄが平行な関係で配置され、放電ランプ２２の導光板３３と対向しない側には反射板３２ａが配置される。
【０００７】
また、Ｕ字管とは別に平行する２本の棒状（直管）の光源（放電蛍光ランプ）を有して一体化した光源としては、図１３に示したように、片口金形蛍光ランプが存在する。この片口金形蛍光ランプは、各発光管である直管部２２ｃ、２２ｄの非口金側端部（電極４１ａ、４１ｂとは逆側の端部）を繋ぐ各直管部２２ｃ、２２ｄよりも細径のブリッジ管３６を介して連通されている。（例えば特許文献３を参照）
ただし、図１３に示したような片口金形蛍光ランプがバックライト用の照明装置に用いられたとの従来例は見当たらない。
【特許文献１】特開平１０−３９８０８号公報    （段落番号０００３〜０００５）
【特許文献２】特開２００１−１２６５２３号公報    （図１）
【特許文献３】特開平８−２５５６８６号公報    （段落番号０００６）
【発明の開示】
【発明が解決しようとする課題】
【０００８】
バックライトユニットの照明光は、液晶表示ユニットの表示面全体にわたって面光源として均一に照射することが要求されている。もし、バックライトユニットの照明光に輝度むらが存在すると、液晶表示画面の輝度がムラになり、表示内容が見にくくなる。また、バックライト装置は、製品に搭載される場合に、製品のスリム化やデザイン等の関係から液晶表示ユニットの額縁部が狭くなるような狭額縁化も要求されている。
【０００９】
すなわち、液晶表示画面の均一照明については、直下型の液晶表示ユニットの表示面全体にわたって均一に照射するためには、照明光源である直線状光源が高密度に配置されていることが望ましい。
【００１０】
照明光の輝度むらの原因のひとつに、放電ランプの内壁面に塗布によりコーティングされている蛍光体層の不均一が挙げられている。特に、Ｕ字管等の屈曲管の場合は、屈曲管自体は直管を屈曲させて折り返ししているものであるので、２本の直管を平行に並べた場合に比べて全体の長さは、ほぼ２倍の長さになっている。その場合、塗布されている蛍光体層は塗布工程では長軸方向に塗布されるので、長い全長にわたって均一に塗布することは、技術的に極めて困難で、実際上の問題として塗布むらによる不均一な蛍光体層の発生を避けることはできない。
【００１１】
また、放電ランプがＵ字管等の屈曲管の場合、図１４に模式図を示すように、製造上の問題で対向する直管部２２ｃ、２２ｄの距離Ｐ１の最小寸法には製造上からの限界があり、５ｍｍ以下に設定することは困難である。これは、図１５に示したように、電極４１ａ、４１ｂが直管部２２ｃ、２２ｄの内部に設けられた内部電極型の場合でも、図１６に示したように、電極４２ａ、４２ｂが直管部２２ｃ、２２ｄの外部に設けられた外部電極型の場合でも同様である。
【００１２】
したがって、Ｕ字管等の屈曲管を光源に用いた場合は、直管部のピッチを小さくすることが出来ないので、発光部が非連続になり液晶表示ユニットの表示面全体にわたって均一に照射することは極めて困難である。
【００１３】
また、狭額縁化については、Ｕ字管等の屈曲管の場合、図１７に模式図を示すように、放電ランプ２２の屈曲部２２ａは、形状的にも明るさの面でも均一照明に不適である。それを解消するために、放電ランプ２２の屈曲部２２ａを額縁部２６で隠す構造になる。その結果、額縁部２６の面積が大きくなり、狭額縁化の実現が困難になっている。
【００１４】
一方、サイドライト型のバックライト用照明装置で、Ｕ字管等の屈曲管を光源に用いた場合は、先に図１２に模式図を示したように、導光板３３の厚さ（ｔ１）の方向に対して、Ｕ字管等の屈曲管の直管部２２ｃ、２２ｄが平行に配置されている。したがって、製造上の最小寸法の規制が有る屈曲管の寸法が、バックライト装置の厚さ方向の最小値を決定する主要な要因となる。そのため、バックライト装置の薄型化が困難である。
【００１５】
本発明はこれらの事情にもとづいてなされたもので、液晶表示ユニット等の表示面全体にわたって均一に照射することができ、かつ、額縁部が狭い直下型のバッライトとして用いたり、また、薄型化を可能にしたサイドライト型のバックライトとして用いることのできる照明装置を提供することを目的としている。
【課題を解決するための手段】
【００１６】
本発明によれば、ガラス管の内部に希ガスと水銀とが封入されて内壁面に蛍光体層が長軸方向に関して相互に反対方向にコーティングされ、対向して配置されている第１および第２の直管部で、この各直管部の一端側には電極が配設され、かつ、封止された他端側の近傍がブリッジ管で相互に気密に連通されて一体に形成されている放電ランプと、
前記放電ランプに電圧を印加する昇圧点灯回路とを具えた照明光源を有することを特徴とする照明装置である。
【００１７】
また本発明によれば、ガラス管の内部に希ガスと水銀とが封入されて内壁面に蛍光体層が長軸方向に関して相互に反対方向にコーティングされ、対向して配置されている第１および第２の直管部で、この各直管部の一端側には電極が配設され、かつ、封止された他端側の近傍がブリッジ管で相互に気密に連通されて一体に形成されている放電ランプと、
前記放電ランプに電圧を印加する昇圧点灯回路と、
前記放電ランプとの対向面の一方に反射面を他方に開口部を具え、かつ、前記放電ランプを固定保持する反射型ケーシングと、
前記反射型ケーシングの前記開口部に装着された拡散透過板とを有することを特徴とする直下型バックライト用の照明装置である。
【００１８】
また本発明によれば、前記放電ランプは、前記拡散透過板と対向して複数本が平面状に配列されて前記反射型ケーシングに固定保持されていることを特徴とする直下型バックライト用の照明装置である。
【００１９】
また本発明によれば、ガラス管の内部に希ガスと水銀とが封入されて内壁面に蛍光体層が長軸方向に関して相互に反対方向にコーティングされ、対向して配置されている第１および第２の直管部で、この各直管部の一端側には電極が配設され、かつ、封止された他端側の近傍がブリッジ管で相互に気密に連通されて一体に形成されている放電ランプと、
前記放電ランプに電圧を印加する昇圧点灯回路と、
前記放電ランプの長軸方向に平行に反射面が形成され、一方が開口したリフレクタと、
前記リフレクタの前記開口に端部が装着された透光性の導光板とを有することを特徴とするサイドライト型バックライト用の照明装置である。
【００２０】
また本発明によれば、前記直管部を連通している前記ブリッジ管の外径は、前記直管部の外径よりも小さいことを特徴とする照明装置である。
【００２１】
また本発明によれば、前記ブリッジ管を介して連通された複数本の平行な前記直管部を具備した前記放電ランプは、単一の昇圧点灯回路に接続されていることを特徴とする照明装置である。
【００２２】
また本発明によれば、前記放電ランプの前記ブリッジ管を介して連通された前記直管部は、該直管部の外径が６ｍｍ以下であることを特徴とする照明装置である。
【００２３】
また本発明によれば、前記放電ランプの前記ブリッジ管は前記拡散透過板の外側になるように配置していることを特徴とする照明装置である。
【００２４】
また本発明によれば、前記放電ランプの前記直管部は、前記導光板への入射面に対して小径の前記直管部が該導光板に近くなるように傾斜して配置されて配置されていることを特徴とする照明装置である。
【発明の効果】
【００２５】
本発明によれば、液晶表示装置の表示面の全体にわたって均一に照射することができ、かつ、額縁部が狭い直下型のバッライトとして用いたり、また、薄型化を可能にしたサイドライト型のバックライトとして用いることのできる照明装置を実現する。
【発明を実施するための最良の形態】
【００２６】
以下、本発明を実施するための最良の形態について順次、図面を参照して説明する。
【００２７】
まず、本発明の照明装置に用いられている照明光源である放電ランプについて説明する。
【００２８】
図１に外観形状を示すように、放電ランプ１は第１および第２の直管部１ａ、１ｂが、この各直管部１ａ、１ｂよりも細径のブリッジ管４で接合された一体構造の気密のガラス管（ガラスバルブ）である。また、ガラス管の両端部にはそれぞれ給電端子１ｃ、１ｃとして外面電極あるいは内部電極が形成されている。また、放電ランプ１は、各直管部１ａ、１ｂとブリッジ管４の内壁面には蛍光体層１ｄがコーティングされて形成され、各直管部１ａ、１ｂの両端内にそれぞれ冷陰極である電極を封装されていると共に、内部に所要量の希ガス（例えば、アルゴン、クリプトン、キセノン、ネオンの少なくともひとつ以上）と水銀が封入されている。なお、ブリッジ管４の内壁面には蛍光体層１ｄがコーティングされていない場合もある。
【００２９】
各直管部１ａ、１ｂの内壁面にコーティングされている蛍光体層１ｄは、水銀から放射された紫外線により励起されて可視光に変換するもので、この蛍光体層１ｄは、例えば、平均粒径４μｍ程度の希土類蛍光体粒子で構成されている。３波長発光形蛍光体としては、たとえば６１０ｎｍ付近にピーク波長を有する赤色蛍光体としてＹ２Ｏ３：Ｅｕ、５４０ｎｍ付近にピーク波長を有する緑色蛍光体としてＬａＰＯ４：Ｃｅ，Ｔｂ、４５０ｎｍ付近にピーク波長を有する青色蛍光体として（ＳｒＣａＢａ）５（ＰＯ４）３Ｃｌ：Ｅｕが用いられている。また、結着成分としての酸化ホウ素などを添加してある。
【００３０】
各直管部１ａ、１ｂの内壁面へのコーティングは、希土類蛍光体粒子と有機質バインダー及び水を組成分として調製した蛍光体スラリー（蛍光体粒子懸濁液）を流し塗りにより塗布し、その後に乾燥し、焼き付け処理をおこなって形成している。
【００３１】
流し塗りによる塗布は、各直管部１ａ、１ｂをほぼ直立に支持・配置し、上端開口側を注入口として、蛍光体スラリーを各直管部１ａ、１ｂの内壁面に流し、自重流下させることにより各直管部１ａ、１ｂの長軸方向に塗布している。あるいは、蛍光体スラリーを各直管部１ａ、１ｂの一端開口から他端開口側に吸引（減圧）し、その後に自重流下させることにより各直管部１ａ、１ｂの長軸方向に塗布する。
【００３２】
したがって、これらの塗布方法によれば、いずれの場合でも蛍光体スラリーは、各直管部１ａ、１ｂの長軸方向に沿って一方から他方に流れる。その結果、各直管部１ａ、１ｂの内壁面に形成された蛍光体層１ｄには、長軸方向に関しての塗布方向が存在する。
【００３３】
つまり、これらの塗布方法により形成された直管部を用いた放電ランプは、図２（ａ）に示したように、ブリッジ管４で連通した２本の各直管部１ａ、１ｂの塗布方向が矢印Ｆ１およびＦ２で示すように同方向の場合と、図２（ｂ）に示したように、ブリッジ管４で連通した２本の各直管部１ａ、１ｂの塗布方向が矢印Ｆ３およびＦ４で示すように反対方向の場合とが存在する。
【００３４】
図３のグラフは、実際に照明装置に用いた場合の輝度分布を測定した例で、図２（ａ）に示した塗布方向が同方向の放電ランプを用いた後述する直下型のバックライトの照明装置と、図２（ｂ）に示した塗布方向が反対方向の放電ランプを用いた直下型のバックライトの照明装置についての、放電ランプ１の長手方向（６００ｍｍ）に関する照明装置の拡散透過板での輝度分布を実測して示したグラフである。縦軸が透過拡散板の板面輝度で、横軸が各直管部１ａ、１ｂの長軸方向である。
【００３５】
点線Ａは、塗布方向が同方向の放電ランプを用いた直下型のバックライトで、長手方向の輝度分布に勾配が見られ、長手方向での輝度の不均一が見られる。
【００３６】
一方、実線Ｂは、塗布方向が反対方向の放電ランプで、輝度分布が長手方向でほぼ水平であり、輝度が長手方向の全域で均一に分布していることが分かる。
【００３７】
いずれの輝度分布でも、使用目的に応じて用いることができるが、特に、液晶表示装置の直下型のバックライトとして、高品質な均一の輝度が要求されるものに対しては、塗布方向が反対方向の放電ランプを用いることが好適である。
【００３８】
なお、放電ランプ１の各直管部１ａ、１ｂの蛍光体層１ｄの塗布方向により、輝度分布に差が出る原因は、各直管部１ａ、１ｂのガラス管の微小な曲がりが膜厚の不均一に影響すること、ガラス管の上端の１００ｍｍ程度の部分の膜厚が特に薄くなること、更には、ガラス管の下端に近づくほど自重流下した蛍光体液の粘度が大きくなり膜厚の不均一が生じやすくなる等が考えられる。
【００３９】
次に、本発明の照明装置について説明する。
【００４０】
本発明の照明装置は大別すると、直下型のバックライトの形態と、サイドライト型のバックライトの形態の場合とが存在する。以下に順次、直下型のバックライトの形態とサイドライト型のバックライトの形態について説明する。
【００４１】
図４は、直下型のバックライトである照明装置の基本的な構成を示す透視的な平面図、また、図５は図１のＡ−Ａ線に沿った断面図である。
【００４２】
直下型のバックライトである照明装置は、図４および図５に示したように、２つの各直管部１ａ、１ｂが同一平面で平行に形成され、各直管部１ａ、１ｂは各直管部１ａ、１ｂよりも細径のブリッジ管４で接合された一体構造の光源である冷陰極放電ランプ１（以下、単に放電ランプという）は、この放電ランプ１の給電端子１ｔがゴムなどの弾性体から成るランプホルダ２に保持され、前面が開口可能に形成された浅い皿形状を成す反射形ケーシング３の内部に収納されている。また、先に図１０で分解斜視図で示した構造に準じて、放電ランプ１の給電端子１ｔ側に装着・配置したランプホルダ２は、反射面を備えた反射形ケーシング３の側壁部３ａに一体的に設置された支持部材６によって挟着的に支持され、放電ランプ１のブリッジ管４などを係止片７で係止し、平面的に配置して装着されている。さらに、反射形ケーシング３の開口部に合成樹脂系の拡散透過板５を着脱自在に装着し、均一な面光源として構成されている。
【００４３】
反射形ケーシング３は、例えばポリカーボネート樹脂製であって、前面が開口された浅い皿形状に形成されている。底壁面３ｂは銀の蒸着によって成膜された鏡面反射層の反射面が形成されている。
【００４４】
放電ランプ１は、上述のように、図１に外観形状を示したように、複数の各直管部１ａ、１ｂが、この各直管部１ａ、１ｂよりも細径のブリッジ管４で接合された一体構造のガラスのバルブである。また、バルブの両端部にはそれぞれ給電端子１ｃ、１ｃとして外面電極あるいは内部電極が形成されている。また、放電ランプ１は、各直管部１ａ、１ｂとブリッジ管４の内壁面には蛍光体層１ｄが形成され、各直管部１ａ、１ｂの両端内にそれぞれ冷陰極である電極を封装されていると共に、内部に所要量の希ガスと水銀が封入されている。
【００４５】
なお、各直管部１ａ、１ｂの蛍光体層１ｄの塗布の方向については、高精度のディスプレイ装置に用いる場合の照明装置には、対向する平行な各直管部１ａ、１ｂは、コーティングされている蛍光体層１ｄの長軸方向の塗布の方向が相互に異なっているものを用いるのが好適であるが、それほどの高精度を要さないものであるならば、対向する平行な各直管部１ａ、１ｂは、コーティングされている蛍光体層１ｄの長軸方向の塗布の方向が相互に同じものを用いることも出来る。
【００４６】
各放電ランプ１は、反射形ケーシング３の底壁面３ｂに、拡散透過板５と対向して複数本が平面状に配列して配置され、先の図８で図示した場合と同様に、複数本が接続用端子部で直列に接続し、両端は給電部として形成され単一の昇圧点灯回路（不図示）に接続されている。
【００４７】
各放電ランプ１の寸法について、好ましい一例を挙げれば、図６に示したように、各直管部１ａ、１ｂの外径をＤ１、Ｄ２、各直管部１ａ、１ｂ間の対向距離をＰ、ブリッジ管４によるブリッジ部の溶着寸法をＬ、とすると、
Ｄ１、Ｄ２≦６ｍｍ
［（Ｄ１＋Ｄ２）／２］≦２Ｐ
Ｄ１、Ｄ２＞Ｌ
に設定されている。
【００４８】
このような構成の照明装置を点灯し、その拡散透過板５を介して放射される配光特性を測定・評価したところ、後述するように、面光源としてほとんど輝度むらのない輝度分布が得られた。したがって、液晶表示装置のバックライトとして用いた場合は、拡散透過板５を介して放射される輝度分布は、全面的にほぼ一様な輝度（輝度むらのない）で、かつ視認性の良好な液晶表示面を照射することができる。
【００４９】
また、図７（ａ）および（ｂ）は、照明装置の均一な発光エリアの比較を示す説明図である。図７（ａ）は本発明の場合であり、図７（ｂ）は従来技術の場合である。すなわち、放電ランプ２１の折返し側の幅が、従来に技術では屈曲構造であるのに対して、本発明の照明装置に用いている放電ランプ１ではブリッジ管４の溶着構造である。
【００５０】
図７（ｂ）に示した従来例の屈曲構造では、屈曲部２２ａが直管部２２ｂ、２２ｃに比べて輝度が低下しているので、均一な光源として発光エリアＥでは用いることが出来ない。そのため、屈曲部２１ａは均一な面光源（発光エリアＥ）の外側に配置する必要がある。一方、図７（ａ）に示した本発明のブリッジ管４を用いた照明装置の構造でも、ブリッジ管４の部分を発光エリアＥ（均一な面光源）の外側に配置する必要がある。
【００５１】
これらの配置を比較した場合、図７（ａ）および（ｂ）において、ブリッジ管４の部分は、従来用いられていた屈曲部２２ａよりも、発光エリアＥから外側に出る部分が小さく形成されている（Ｆ２＞Ｆ１）。したがって、ブリッジ管４により接続された放電ランプ１は、液晶表示装置等の製品に搭載する場合に、屈曲構造の放電ランプ２２よりもスリムな製品の構造に対応することが可能である。
【００５２】
次に、サイドライト型のバックライトである照明装置について説明する。
【００５３】
この実施の形態で用いられている放電ランプ１１の基本構造そのものは、上述の直下型のバックライトである照明装置に用いられた放電ランプ１と同様であるが、図８に示したように、この場合は、直管部１１ａ、１１ｂの外径が異なるようにし、一方が大径の直管部１１ａであり、他方が小径の直管部１１ｂにより形成され両直管部１１ａ、１１ｂはブリッジ管４で接続されている。
【００５４】
図９は、本発明の実施の形態の一例を示すサイドライト型のバックライト用照明装置の側断面を示す説明図である。導光板１２の一側面には断面がコ字状のリフレクタ１３が設けられている。すなわち、リフレクタは、放電ランプの長軸方向に平行に反射面が形成され、一方が開口しており、この開口に透光性の導光板の端部が装着されている。
【００５５】
リフレクタ１３の内部には、放電ランプ１１が平行する直管部１１ａ、１１ｂの中心を結ぶ線がほぼ４５度の角度で傾斜して配設されている。放電ランプ１１は、平行する直管部１１ａ、１１ｂが一方が大径で、他方が小径に形成されており、導光板１２側が小径の直管部１１ｂになるように配置されている。この配置により、大径の直管部１１ａから出射した光は、小径の直管部１１ｂによって、一部が部分的には遮られるが、全面的に遮られことなく導光板１２に入射することができるので明るさが阻害されることはない。しかも、背景技術の項で図１２に示した放電ランプ２１の配置に比べて、導光板１２の厚さ方向の寸法ｔ２を大幅に減縮（ｔ２＜ｔ１）することができる。したがって、製品に搭載する場合に、スリムな製品の構造に対応することが可能であり、実用的な価値が高い。
【図面の簡単な説明】
【００５６】
【図１】本発明の照明装置に用いる放電ランプの外観図。
【図２】（ａ）および（ｂ）は、本発明の照明装置に用いる放電ランプの直管部の塗布方向の説明図。
【図３】本発明の照明装置に用いる放電ランプの直管部の塗布方向の差による照明装置の拡散透過板での輝度分布を実測して示したグラフ。
【図４】本発明の照明装置の基本的な構成を示す透視的な平面図。
【図５】図１のＡ−Ａ線に沿った断面図。
【図６】本発明の照明装置に用いる放電ランプの寸法説明図。
【図７】（ａ）および（ｂ）は、照明装置の均一な発光エリアの比較を示す説明図で、（ａ）は本発明の場合、（ｂ）は従来の場合。
【図８】サイドライト型のバックライト用照明装置にもちいる放電ランプの外観図。
【図９】サイドライト型のバックライト用照明装置の側断面を示す説明図。
【図１０】従来のバックライト用の照明装置の分解斜視図。
【図１１】従来のサイドライト型のバックライト用照明装置の断面図。
【図１２】従来のサイドライト型のバックライト用照明装置の模式図。
【図１３】片口金形蛍光ランプの模式図。
【図１４】屈曲管の説明模式図。
【図１５】屈曲管の説明模式図。
【図１６】屈曲管の説明模式図。
【図１７】屈曲間を用いた照明装置の説明図。
【符号の説明】
【００５７】
１、１１…放電ランプ、１ａ、１ｂ…直管部、１ｔ…給電端子、２…ランプホルダ、３…反射形ケーシング、４…ブリッジ管、５…拡散透過板、１２…導光板、１３…リフレクタ
【図１】
2006073306.tif 000003
【図２】
2006073306.tif 000004
【図３】
2006073306.tif 000005
【図４】
2006073306.tif 000006
【図５】
2006073306.tif 000007
【図６】
2006073306.tif 000008
【図７】
2006073306.tif 000009
【図８】
2006073306.tif 000010
【図９】
2006073306.tif 000011
【図１０】
2006073306.tif 000012
【図１１】
2006073306.tif 000013
【図１２】
2006073306.tif 000014
【図１３】
2006073306.tif 000015
【図１４】
2006073306.tif 000016
【図１５】
2006073306.tif 000017
【図１６】
2006073306.tif 000018
【図１７】
2006073306.tif 000019